(57)【要約】      （修正有）【課題】家庭のベランダに容易に設置できて、雨水に対する防水性を有する屋外設置用画像表示装置を提供する。【解決手段】画像表示ユニット７は、前面開口部が透明なガラスパネルで塞がれる防水された密閉構造のキャビネットに収容されている。一端がベランダの手摺り２０に固着されているワイヤは、他端にフックを備えて、フックをキャビネットに設けられている係止部に引っ掛けて係止させることで、画像表示ユニット７は、ワイヤで支持された状態でベランダに設置される。画像表示ユニット７は、ＳＤメモリカードに格納している画像データによる画像をガラスパネル越しに表示する。【選択図】図１
0003214561.tif 000002
【実用新案登録請求の範囲】
【請求項１】
建物から外側に張り出したベランダに設置される屋外設置用画像表示装置であって、
前面開口部が透明パネルで塞がれる防水された密閉構造のキャビネットと、
前記キャビネットを引っ掛けるフックと、
前記ベランダの柵に固定されて前記フックを吊り下げるワイヤと、
表示面が前記透明パネルに臨むよう前記キャビネットに収容される画像表示ユニットと、
前記画像表示ユニットに装着される可搬型半導体メモリと、
を備えて、
前記画像表示ユニットは、可搬型の半導体メモリに格納された画像データに基づく画像を前記表示面に表示する屋外設置用画像表示装置。
【請求項２】
前記キャビネットは、前記前面開口部を有して前記透明パネルを収容する前部筐体と、前記表示ユニットを収容する後部筐体とから構成されて、前記前部筐体と前記透明パネルとの間に第１の防水構造が設けられ、前記透明パネルと前記後部筐体との間に第２の防水構造が設けられる請求項１に記載の屋外設置用画像表示装置。
【請求項３】
前記画像表示ユニットは、外部からのリモコン信号を受けて、画像表示のオン及びオフと輝度調整を制御する請求項１に記載の屋外設置用画像表示装置。
【請求項４】
前記半導体メモリは複数の画像データを格納しており、前記画像表示ユニットは、前記半導体メモリから順次前記静止画の画像データを繰り返し読み出して前記表示面に表示する請求項１に記載の屋外設置用画像表示装置。
【請求項５】
前記半導体メモリは動画の画像データを格納しており、前記画像表示ユニットは、前記動画の画像データを繰り返し前記表示面に表示する請求項１に記載の屋外設置用画像表示装置。
【請求項６】
前記半導体メモリは、複数の画像データを格納しており、前記画像表示ユニットは、リモコン信号によって指定される前記画像データを前記半導体メモリから読み出して前記表示面に表示する請求項１に記載の屋外設置用画像表示装置。
【請求項７】
前記画像表示ユニットには太陽エネルギーを電力に変換する太陽光パネルによって電源が供給される請求項１に記載の画像表示装置。
【考案の詳細な説明】
【技術分野】
【０００１】
本考案は、屋外設置用画像表示装置に関し、特に住居のベランダに設置する画像表示装置に関する。
【背景技術】
【０００２】
従来から屋外に設置される画像表示装置としては広告装置がある。この種の広告装置としては、広告内容に関する静止画像、文字情報及び音声情報を格納した格納手段と、所定の告知の時間帯で前記静止画像、文字情報及び音声情報を表示又は／及びアナウンスする情報告知手段と、格納手段及び情報告知手段を収納するケーシング又は／及びフレームからなる交通広告装置が知られている（例えば、特許文献１を参照）。
【０００３】
また、屋外で使用されるノート型パソコンなどの携帯型情報処理装置の液晶ユニットを保持、保護するために、液晶ユニットを内蔵し保持および保護する筐体と、液晶ユニットの前方に所定の間隔を空けて配置される透明の保護パネルとを備えるとともに、液晶ユニットと筐体または保護パネル間に多孔質シール材を設けた構成の液晶表示装置も知られている（例えば、特許文献２を参照）。
【先行技術文献】
【特許文献】
【０００４】
【特許文献１】特開２０１５−１４６０１０号公報
【特許文献２】特開２００５−３０９２６８号公報
【考案の概要】
【考案が解決しようとする課題】
【０００５】
近年、フルＨＤや４Ｋ，８Ｋによる画像の高画質化に伴い、風景や自然現象の画像を大画面の表示鑑賞するようになってきている。しかしながら、屋内においては、大型の画像表示パネルを使用しても恰もその場所に居合わせるような感覚はなかなか得られない。そこで、画像表示パネルを屋外に設置して、画像を現実の外の風景に溶け込ませれば、その場所に旅行したような感覚が得られる。
【０００６】
しかし、画像表示パネルを屋外に置くことは、設置の問題や雨に対する防水性の面であまり行われていない。特許文献１のような広告装置は業務用に使用するのに専用に開発されたものであって、一般家庭で使用されるものではない。
【０００７】
また、特許文献２は、ノート型パソコンなどの携帯型情報処理装置の屋外での使用を可能にするために、液晶ユニットの防水性を持たせるものであって、屋外への設置を意図したものではない。
【０００８】
上記点より、本考案は、一般の家庭でのベランダに容易に設置できて、しかも雨水に対する防水性を有する屋外設置用画像表示装置を提供することを目的としている。
【課題を解決するための手段】
【０００９】
上記課題を解決するために、本考案は、建物から外側に張り出したベランダに設置される屋外設置用画像表示装置であって、前面開口部が透明パネルで塞がれる防水された密閉構造のキャビネットと、前記キャビネットを引っ掛けるフックと、前記ベランダの柵に固定されて前記フックを吊り下げるワイヤと、表示面が前記透明パネルに臨むよう前記キャビネットに収容される画像表示ユニットと、前記画像表示ユニットに装着される可搬型半導体メモリと、を備えて、前記画像表示ユニットは、可搬型の半導体メモリに格納された画像データに基づく画像を前記表示面に表示する。
【００１０】
ある実施形態では、前記キャビネットは、前記前面開口部を有して前記透明パネルを収容する前部筐体と、前記表示ユニットを収容する後部筐体とから構成されて、前記前部筐体と前記透明パネルとの間に第１の防水構造を設けると共に、前記透明パネルと前記後部筐体との間に第２の防水構造を設けている。これにより、キャビネットは高い防水密閉性を保持しながら透明パネルを保持する構成となる。
【００１１】
また、前記画像表示ユニットは、外部からのリモコン信号を受けて、画像表示のオン及びオフと輝度調整を制御する構成にするとよい。
【００１２】
さらに、前記半導体メモリは複数の画像データを格納しており、前記画像表示ユニットは、前記半導体メモリから順次前記静止画の画像データを繰り返し読み出して前記表示面に表示するとよい。また、前記半導体メモリは動画の画像データを格納しており、前記画像表示ユニットは、前記動画の画像データを繰り返し前記表示面に表示してもよい。
【００１３】
また、前記半導体メモリは、複数の画像データを格納しており、前記画像表示ユニットは、リモコン信号によって指定される前記画像データを前記半導体メモリから読み出して前記表示面に表示することもできる。
【００１４】
ある実施形態では、前記画像表示ユニットには太陽エネルギーを電力に変換する太陽光パネルによって電源が供給される。
【考案の効果】
【００１５】
本考案による屋外設置用画像表示装置は、ベランダの柵にワイヤで吊って保持するために、薄型の画像表示装置であっても倒れることがなく確実に支持することができる。
【図面の簡単な説明】
【００１６】
【図１】本考案に係る屋外設置用画像表示装置をベランダに設置した状態を正面からの図で示す。
【図２】図１の屋外設置用画像表示装置のＡ−Ａ´側断面図を示す。
【図３】画像表示ユニットの電気的な接続構成を示す。
【図４】屋外設置用画像表示装置の側面からの外観斜視図を示す。
【図５】屋外設置用画像表示装置のベランダへの設置の具体的な説明図を示す。
【図６】調整金具の構成を一部断面図で示す。
【考案を実施するための形態】
【００１７】
以下、本考案の実施の形態を図面に基づき具体的に説明する。本考案の一実施形態である屋外設置用の画像表示装置１は、例えば、図１に示すように、建物から外側に張り出したベランダに設置される。
【００１８】
図２は図１のＡ−Ａ´側断面図を示しており、画像表示装置１は、プラスチックによる前部筐体３と後部筐体４からなるキャビネット２に画像表示ユニット７を収容して構成されている。前部筐体３の前面開口部は、透明のガラスパネル５によって塞がれて、ガラスパネル５を通して、画像表示ユニット７の画像表示面が視認できるようになっている。前部筐体３は、前面開口部の中央に向けて折曲している折曲部３ａによって、ガスケット６を介してガラスパネル５を押えている。ガスケット６は、前部筐体３の前面開口部の周縁を囲む枠で形成されている。よって、折曲部３ａは、ガラスパネル５を支持および保護するベゼルを形成して、ベゼルとガラスパネル５と間に第１の防水構造が形成される。
【００１９】
後部筐体４は、前部筐体３と当接するフランジ４ａを備えて、図示しないビスにより締結されている。そして、フランジ４ａとガラスパネル５の背面にはガスケット８を介在させて、第２の防水構造を形成している。よって、キャビネット２は、この第１及び第２の防水構造で密閉されている。
【００２０】
画像表示ユニット７は、放熱性を高めるために熱伝導性の高い金属で構成されるフレーム９で支持されて、後部筐体４内に配置されている。画像表示ユニット７は、テレビ受像機であってもよいが、映像のコンテンツを後述のＳＤカードメモリ１８に格納する構成であるため、特にテレビ受像機である必要はなく、その場合には、図３に示すように、表示パネル１０と、表示パネル１０の動作を制御するための制御部１１とで成る簡易な構成となっている。
【００２１】
表示パネル１０は、液晶や有機ＥＬなどを用いた薄型の大型画面のパネルが使用される。そして、制御ユニット１１は、赤外線受信部１２と、画像格納部１３と、表示制御部１４とで構成される。
【００２２】
画像格納部１３は、ＳＤメモリカード１８にフルＨＤや４Ｋ，８Ｋによる高画質の画像データが格納されている。好適には、数種類の静止画又は動画の画像データ、例えば、海や山の自然の風景、建造物や庭園、或いは自然現象などの複数の画像がファイル別に分類して格納されている。
【００２３】
本例においては、ＳＤメモリカード１８は、図４に示すように、後部筐体４の側部に形成した挿入口４ａから画像表示ユニット７に設けた読取部１８に挿し込まれる。挿入口４ａは、周縁がシール材１９で囲まれており、蓋体１７とビスで締結されて密閉される。画像を記憶する媒体はＳＤカードに限らずＵＳＢメモリ等の着脱自在に装着される可搬型半導体メモリであればよい。また、可搬型半導体メモリは、防水・防塵対策のものが好適である。
【００２４】
赤外線受信部１２は、リモコン１５から送信されてくる赤外線リモコン信号を受信する。リモコン１５は、ユーザの操作で電源オン・オフ、輝度調整、画像選択の各操作が行われると、それぞれの操作によるユーザからの指示に応じたデータコードを含む赤外線リモコン信号を画像表示装置１へ送信する。
【００２５】
表示制御部１４は、赤外線受信部１２で赤外線リモコン信号を受信して処理を行う。このとき、表示パネル１０の電源オン・オフのデータコードを含む赤外線リモコン信号が赤外線受信部１２に送られてくると、表示パネル１１での画像表示のオン又はオフを制御する。そして、電源オンが指定されると、画像格納部１３に蓄積されている静止画又は動画の画像データを表示パネル１１に表示するよう制御する。
【００２６】
また、表示制御部１４は、ユーザが選択した画像を示すデータコードを含む赤外線リモコン信号がリモコン１５から送信されてくると、当該画像データを画像格納部１３から読み出して、表示パネル１０に画像を表示する。このとき、表示制御部１４は、次にユーザから表示する画像の変更が指示されない限り電源がオンの間は、静止画であれば同じ静止画像を継続して表示し、動画であれば同じ動画像を繰り返し表示する。
【００２７】
そして、表示制御部は、ユーザがリモコン１５の操作で輝度を指定する赤外線リモコン信号が赤外線リモコン信号受信部１２に送られてくると、それに応じて表示パネル１１が表示する画像の輝度を調整する制御を行なう。
【００２８】
画像表示ユニット７には、キャビネット２の外部に引き出され電源コード１６を屋外コンセントに接続するが、居住空間内に引き込んで屋内のコンセントに接続してもよい。また、図４に示すように、太陽エネルギーを電力に変換する太陽光パネル３１と、家庭で使用できる交流に変換するパワーコンディショナ３２と、蓄電池３３とを備える太陽光発電システム３０に電源コード１６を接続して、画像表示ユニット７に動作電源を供給することもできる。
【００２９】
図５は画像表示装置１をベランダへの設置を具体的に示すもので、ベランダの柵の手摺り２０を上下のステー２１ａ，２１ｂで挟持し、一対のネジ２２ａ，２２ｂで固定する。下側のステー２１ｂの端部には金属のワイヤ２３が装着されており、ワイヤ２３にはフック２５を備える調整金具２４が通されている。フック２５は、後部筐体４の上部に設けた係止部２８と係合する。
【００３０】
調整金具２４は、図６に示すように、固定部２６と、固定部２６に螺合する可動部２７とで構成される。固定部２６は、ワイヤ２３が通される貫通孔と、円筒形状の凹部とを有している。可動部２７は、固定部２６の凹部に挿入される軸部２７ａの外周にオネジが形成されており、凹部の内周に形成されているメネジと螺合して、軸部２７ａの回転方向にしたがって図の左右方向に移動する。そして、軸部２７ａは、右方向に移動しその先端でワイヤ２３と当接したとき、凹部の底部とでワイヤ２３を締め付けて固定する。
【００３１】
フック２５は固定部２６に装着されており、後部筐体４の上面に設けた係止部２８に係合する。よって、画像表示装置１をベランダへ設置する際、先ず画像表示装置１をベランダの床面に脚部で立設させた状態でフック２５を係止部２６に係止させる。そして、調整金具２４とステー２１ｂとの間のワイヤ２３が弛緩しない長さとなるよう、調整金具２４をワイヤ２３の長さ方向に沿って移動させて、ワイヤ２３の締付位置が決まると、可動部２７を回転させて固定部２６に捻じ込み或いはワイヤ２３を締め付けて固定する。これにより、画像表示装置１のベランダへの設置が完了する。
【００３２】
上記構成の屋外設置用画像表示装置１をベランダに設置することで、室内からベランダを眺めたとき、表示面に表示される画像はベランダ越しに見える空を背景にして映し出されることで画像がリアルとなり、ユーザはその画像が撮影された場所に居るような感覚を体験できる。あるいは、名園の画像を表示すれば、あたかもユーザ自身の庭を眺望している感覚が得られる。
【符号の説明】
【００３３】
１      屋内設置用画像表示装置
２      キャビネット
３      前部筐体
４      後部筐体
５      ガラスパネル（透明パネル）
６      ガスケット（第1の防水構造）
７      画像表示ユニット
８      ガスケット（第２の防水構造）
１８    ＳＤメモリカード（可搬型半導体メモリ）
２３    ワイヤ
２５    フック
３１    太陽光パネル
【図１】
0003214561.tif 000003
【図２】
0003214561.tif 000004
【図３】
0003214561.tif 000005
【図４】
0003214561.tif 000006
【図５】
0003214561.tif 000007
【図６】
0003214561.tif 000008